【手続補正書】
【提出日】平成28年6月9日(2016.6.9)
【手続補正１】
【補正対象書類名】特許請求の範囲
【補正対象項目名】請求項１
【補正方法】変更
【補正の内容】
【請求項１】
下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエチレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【手続補正２】
【補正対象書類名】明細書
【補正対象項目名】０００８
【補正方法】変更
【補正の内容】
【０００８】
本発明は、下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物に関する。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエチレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【手続補正３】
【補正対象書類名】明細書
【補正対象項目名】００１２
【補正方法】変更
【補正の内容】
【００１２】
＜（ａ）成分＞
本発明で用いられる（ａ）成分の非イオン界面活性剤は、下記一般式（１）で表される化合物である。
Ｒ1Ｏ−（ＥＯ）mＨ            （１）
〔式中、Ｒ1は炭素数８以上、１８以下の炭化水素基を示し、ＥＯはエチレンオキシ基を示し、ｍは平均付加モル数を示し、ｍは１以上、１０以下の数である。〕
【手続補正４】
【補正対象書類名】明細書
【補正対象項目名】００７２
【補正方法】変更
【補正の内容】
【００７２】
本発明により、下記（ａ）成分、（ｂ）成分、（ｃ）成分、及び水を混合する衣料用液体洗浄剤組成物の製造方法であって、（ａ）成分と（ｂ）成分とを、（ａ）成分の配合量と（ｂ）成分配合量の合計の配合量が１５質量％以上、７０質量％以下、且つ（ｂ）成分／（ａ）成分＝０．５以上、１０以下の質量比で用いる、衣料用液体洗浄剤組成物の製造方法が提供される。衣料用液体洗浄剤組成物で述べた事項のうち、適用可能なものは、この製造方法において適宜適用できる。前記衣料用液体洗浄剤組成物の製造の際には、更に（ｄ）成分を混合しても良い。
（ａ）成分：下記一般式（１）で表される非イオン界面活性剤
Ｒ1Ｏ−（ＥＯ）mＨ            （１）
〔式中、Ｒ1は炭素数８以上、１８以下の炭化水素基を示し、ＥＯはエチレンオキシ基を示し、ｍは平均付加モル数を示し、ｍは１以上、１０以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、２２以下の炭化水素基を示し、Ａ1Ｏは炭素数３のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、４０質量％以下（質量％は、全配合原料の合計に対する質量％である。）
【手続補正５】
【補正対象書類名】明細書
【補正対象項目名】００８４
【補正方法】変更
【補正の内容】
【００８４】
＜１＞
下記（ａ）成分、（ｂ）成分、（ｃ）成分及び水を配合してなり、（ａ）成分の配合量と（ｂ）成分配合量の合計の配合量が１５質量％以上、７０質量％以下であり、（ａ）成分の配合量と（ｂ）成分の配合量との質量比が、（ｂ）成分／（ａ）成分で、０．５以上、１０以下である、衣料用液体洗浄剤組成物。
（ａ）成分：下記一般式（１）で表される非イオン界面活性剤
Ｒ1Ｏ−（ＥＯ）mＨ            （１）
〔式中、Ｒ1は炭素数８以上、好ましくは１０以上、より好ましくは１１以上、１８以下
、好ましくは１６以下、より好ましくは１４以下の炭化水素基を示し、ＥＯはエチレンオキシ基を示し、ｍは平均付加モル数を示し、ｍは１以上、好ましくは２以上、より好ましくは２．５以上、更に好ましくは３以上、１０以下、好ましくは９以下、より好ましくは８以下の数である。〕
（ｂ）成分：下記一般式（２）で表される陰イオン界面活性剤
Ｒ2Ｏ−（Ａ1Ｏ）p−（ＥＯ）q−ＳＯ3Ｍ        （２）
〔式中、Ｒ2は炭素数８以上、好ましくは１０以上、より好ましくは１２以上、２２以下
、好ましくは１６以下、より好ましくは１４以下の炭化水素基を示し、Ａ1Ｏは炭素数３
のアルキレンオキシ基及び炭素数４のアルキレンオキシ基から選ばれるアルキレンオキシ基を示し、ＥＯはエチレンオキシ基を示し、ｐ及びｑは平均付加モル数を示し、ｐは０．５以上、５以下の数、ｑは０以上、１０以下の数である。Ｍは陽イオンである。〕
（ｃ）水酸基を１つ以上有する有機溶剤  ５質量％以上、好ましくは１０質量％以上、より好ましくは１３質量％以上、４０質量％以下、好ましくは３５質量％以下、より好ましくは２５質量％以下（質量％は、全配合原料の合計に対する質量％である。）。
【手続補正６】
【補正対象書類名】明細書
【補正対象項目名】０１３８
【補正方法】変更
【補正の内容】
【０１３８】
表３の実施例２８と表１の実施例１、表３の実施例２９と表１の実施例２、又は表３の実施例３０と表１の実施例３は浴比のみが異なる。洗浄時間５分の洗浄率はほぼ同等であり、浴比が低くなっても良好な洗浄力を示す。一方、表３の比較例８と表１の比較例１、表３の比較例９と表１の比較例３、又は表３の比較例１０と表１の比較例５における洗浄時間５分の洗浄率を比較すると、浴比１２と低い浴比で洗浄された比較例８〜１０の方が、浴比２０で洗浄された場合よりも洗浄率の低下が大きいことがわかる。